(57)【要約】【課題】放射線のファンビームの照射範囲に対する被検体の位置決めを容易にできるようにする。【解決手段】Ｘ線骨塩量測定装置１０の本体部１２には、上方に向けてファンビーム２２を照射するＸ線発生器を備える。被検体を透過したファンビーム２２を検出するＸ線検出器は、本体部１２から上方に延びる支持アーム部１６により片持ち支持される検査部１４内に内蔵されている。支持アーム部１６の正面側の面１７には、ファンビーム２２の左右の輪郭線をその面１７に平行投影したガイドライン１８が描かれる。操作者は、装置１０をブッキー台に差し込み、その上に被検者を寝かせた状態で、正面側から面１７の方向をみて、被検者の測定部位が一対のガイドライン１８の間にぴったり収まっているかどうかを確認し、収まっていなければ、装置１０の左右方向の位置や高さを調節する。【選択図】図１
2011244873.tif 000002
【特許請求の範囲】
【請求項１】
放射線のファンビームを照射する放射線発生器と、
前記放射線発生器に対して間隔をあけて配設され、前記ファンビームを検出する放射線検出器と、
を備え、
前記ファンビームのファン面に対して垂直な第１の方向に関して、前記放射線発生器の前記ファンビームの照射範囲の一方の側には、前記放射線発生器と前記放射線検出器とを連結する連結部材が設けられ、他方の側は、被検体を前記放射線発生器と前記放射線検出器との間に挿入配置するために、前記放射線発生器と前記放射線検出器との間が開放されている放射線診断装置であって、
前記連結部材は、前記他方の側から前記第１の方向に前記連結部材を見たときに前記ファンビームのファン面の形状を表す模様又は表示器又は立体形状を有する、ことを特徴とする放射線診断装置。
【請求項２】
請求項１に記載の放射線診断装置であって、前記連結部材は、前記ファン面の形状を表す表示器として、発光表示器を備えることを特徴とする放射線診断装置。
【請求項３】
請求項２に記載の放射線診断装置であって、前記発光表示器の発光状態を当該放射線診断装置の状態に応じて制御する発光制御手段を更に備えることを特徴とする放射線診断装置。
【請求項４】
請求項２又は３に記載の放射線診断装置であって、
前記発光表示器は、前記放射線発生装置から前記放射線検出器に向かって並んだ複数の発光素子を備え、
前記放射線診断装置は、
前記ファンビームの照射開始からの経過時間に応じて、前記複数の発光素子のうち発光させるものの位置を、前記放射線発生装置から前記放射線検出器に向かって、又はその逆方向に向かって移動させる第２の発光制御手段、
を更に備えることを特徴とする放射線診断装置。
【発明の詳細な説明】
【技術分野】
【０００１】
本発明は、ファン（扇形）状の形状を持つ放射線ビーム（ファンビーム）により被検体の検査を行う放射線診断装置に関する。
【背景技術】
【０００２】
Ｘ線等の放射線を被検体に照射して測定や撮影を行う放射線診断装置では、被検体の測定範囲を適切に測定し、測定範囲以外の被ばくを減らすために、放射線の照射範囲に対して被検体を正しく位置決めする必要がある。
【０００３】
このため、例えば、図１２に例示する従来のＸ線骨塩量（骨密度）測定装置では、本体部１００の天板１１０上に測定範囲の外周線１１２や中心線１１４が描かれている。
【０００４】
この装置では、本体部１００をブッキー台と呼ばれる検査用寝台の下に差し込み（例えば図３参照）、ブッキー台状に寝ている被検者に対して、例えば本体部１００内のＸ線発生器から垂直上方に向けて、検出部１２０の長手方向に延びる矩形スリット状のＸ線ビームを照射し、透過したビームを本体部１００（及び被検者）の上方に位置する検出部１２０で検出する。Ｘ線発生器と検出部１２０とをスリット面と垂直な方向に移動させることで、測定範囲内全域の測定を行うことができる。操作者は、例えばブッキー台の透明な天板を通して測定範囲の外周線１１２や中心線１１４を視認しつつ被検者を測定範囲に対して位置決めする。
【０００５】
特許文献１には、天板の下にあるフラットパネル型Ｘ線検出器の位置が操作者から分かるように、Ｘ線検出器の上面に発光部材を設け、光を透過する天板を用いた放射線撮像装置が開示されている。
【０００６】
特許文献２に開示されるＭＲＩ（磁気共鳴画像法）装置は、装置の内腔に扇形の平面光を発するＬＥＤを備えており、そのＬＥＤの光の扇形と患者との交線により、ＭＲＩの撮像面の位置を示す。
【０００７】
また、例えばＸ線を用いた骨密度測定装置の中には、Ｘ線発生器からファン状に広がるＸ線を被検体に透過させるものがある（例えば特許文献１）。
【先行技術文献】
【特許文献】
【０００８】
【特許文献１】特開２００５−２９６４４９号公報
【特許文献２】特開２００５−５１７４８７号公報
【特許文献３】特開２０００−１１６６３６号公報
【発明の概要】
【発明が解決しようとする課題】
【０００９】
放射線発生装置からファン形状の放射線ビームが照射される場合、放射線発生装置からの距離に応じてビーム幅が変化するため、ビーム幅の変化がない矩形スリット状などのビームを用いる場合よりも、被検体をビーム照射範囲に対して正しく位置決めすることが難しい。例えば、ブッキー台の高さはまちまちであり、ブッキー台に横たわった被検者の高さにおけるビーム幅はそのブッキー台の高さによって変わってくる。このため、放射線発生装置の天板にビームの範囲が示されていたとしても、その範囲表示からは被検者の高さでのビーム幅は分からず、ビーム幅に合わせて被検者の測定部位を位置決めすることが困難である。
【００１０】
本発明は、放射線のファンビームの照射範囲に対する被検体の位置決めを容易にできるようにすることを目的とする。
【課題を解決するための手段】
【００１１】
本発明に係る放射線診断装置は、放射線のファンビームを照射する放射線発生器と、前記放射線発生器に対して間隔をあけて配設され、前記ファンビームを検出する放射線検出器と、備え、前記ファンビームのファン面に対して垂直な第１の方向に関して、前記放射線発生器の前記ファンビームの照射範囲の一方の側には、前記放射線発生器と前記放射線検出器とを連結する連結部材が設けられ、他方の側は、被検体を前記放射線発生器と前記放射線検出器との間に挿入配置するために、前記放射線発生器と前記放射線検出器との間が開放されている放射線診断装置であって、前記連結部材は、前記他方の側から前記第１の方向に前記連結部材を見たときに前記ファンビームのファン面の形状を表す模様又は表示器又は立体形状を有する、ことを特徴とする。
【００１２】
１つの態様では、前記連結部材は、前記ファン面の形状を表す表示器として、発光表示器を備える。
【００１３】
更なる態様では、前記発光表示器の発光状態を当該放射線診断装置の状態に応じて制御する発光制御手段を更に備える。
【００１４】
更なる態様では、前記発光表示器は、前記放射線発生装置から前記放射線検出器に向かって並んだ複数の発光素子を備え、前記放射線診断装置は、前記ファンビームの照射開始からの経過時間に応じて、前記複数の発光素子のうち発光させるものの位置を、前記放射線発生装置から前記放射線検出器に向かって、又はその逆方向に向かって移動させる第２の発光制御手段、を更に備える。
【発明の効果】
【００１５】
本発明によれば、ファンビームの照射範囲に対する被検体の位置決めが容易になる。
【図面の簡単な説明】
【００１６】
【図１】実施形態の一例としての、支持アーム部にファン形状表示ラインが描かれたＸ線骨塩量測定装置を斜め上方から見た状態を示す斜視図である。
【図２】図１のＸ線骨塩量測定装置を斜め下方向から見た状態を示す斜視図である。
【図３】図１のＸ線骨塩量測定装置の本体部をブッキー台の下部に挿入した状態を、当該装置の正面側（すなわちブッキー台を挿入する開放端側）から見た状態を示す斜視図である。
【図４】Ｘ線ファンビームと被検体（腰椎）との位置関係を説明するための図である。
【図５】支持アーム部がファン形状となっているＸ線骨塩量測定装置の例を正面側から見た状態を示す図である。
【図６】支持アーム部にファン形状を示す発光素子列が配設されたＸ線骨塩量測定装置の例を正面側から見た状態を示す図である。
【図７】図７の装置を用いた測定作業の流れを説明するための図である。
【図８】エラー種類に応じた発光素子列の発光状態の一例を示す図である。
【図９】測定時間の経過に応じて発光素子列の発光状態を切り替える例を示す図である。
【図１０】ファインビームの走査位置を表示する発光素子列を備えたＸ線骨塩量測定装置の例を示す斜視図である。
【図１１】ブッキー台の基準面を表す発光素子列、及び被検体厚みの判定のための発光素子列を、備えたＸ線骨塩量測定装置の例を正面側から見た状態を示す図である。
【図１２】従来のＸ線骨塩量測定装置の一例の斜視図である。
【発明を実施するための形態】
【００１７】
図１〜図４に、本発明に係る放射線診断装置の一例であるＸ線骨塩量測定装置１０を例示する。ここでは、人間の腰椎の骨塩量を測定する装置を例にとって説明するが、Ｘ線骨塩量測定装置１０及び本発明に係る放射線診断装置は、そのような装置に限られるものではない。
【００１８】
図１及び図２は、Ｘ線骨塩量測定装置１０をそれぞれ斜め上方及び斜め下方から見た状態を示す斜視図である。図３は、ブッキー台３０に対して本体部１２を挿入した状態のＸ線骨塩量測定装置１０を、正面側（すなわちブッキー台を挿入する開放端側）から支持アーム１６に向かって見た正面図である。図４は、図３の状態でブッキー台３０に被検体（被検査者）４０が仰臥したときの被検体４０の腰椎４２の位置と、Ｘ線発生器２０から発せられるファンビームとの位置関係を説明する図である。以下の説明では、これら図１〜図４を適宜参照されたい。
【００１９】
これらの図に示されるように、Ｘ線骨塩量測定装置１０は、大きく分けて、本体部１２と、検出部１４と、それら両者を連結する支持アーム部１６とから構成される。
【００２０】
本体部１２はＸ線発生器２０を内蔵している。Ｘ線発生器２０（図４参照）は、本体部１２の天板１３の下に配設されている。本体部１２の下部には移動用の車輪１１が設けられており、この車輪１１により、操作者は、装置１０を押して、ブッキー台３０の下に本体部１２を差し入れることができる（例えば図３及び図４参照）。この例では、本体部１２は鉛直上方から見た形状は矩形であり、その矩形の一辺に平行な図中矢印Ａで示す方向を、この装置の「前後方向」と呼ぶことにする。この前後方向Ａは、Ｘ線発生器２０から検出部１４に向けて放射されるファンビーム２２（図では、そのファン形状の輪郭を破線で示している）のファン面（扇形の平面）に垂直な方向でもある。また、この前後方向Ａのうち、ファンビーム２２から見て支持アーム部１６に向かう方向を便宜上「後ろ方向」と呼び、その逆方向を「前方向」と呼ぶこととする。なお、本体部１２を上から見た矩形の辺のうち、この前後方向Ａに垂直な辺に平行な方向を「左右方向」と呼び、図では矢印Ｂで表している。左右方向Ｂは、前後方向Ａ及び鉛直方向の両方に垂直な方向である。
【００２１】
図示は省略したが、本体部１２内には高さ調整機構が設けられており、この機構により、装置１０全体の高さを調整することができる。すなわち、この機構により、本体部１２と検出部１４とを、互いの間隔を維持したまま上下させることができる。
【００２２】
Ｘ線発生器２０は、Ｘ線管と、このＸ線管から放射されるＸ線の照射範囲を規定するコリメータとを備える、一般的な構造を持つ。このＸ線発生器２０は、前後方向Ａについては薄いスリット状で、左右方向ＢについてはＸ線管から鉛直上方に向けて扇（ファン）状に広がるファンビーム２２を放射する。Ｘ線発生器２０は、この例では、左右方向Ｂについては本体部１２の中央に位置し、前後方向Ａについては可動式となっている。すなわち、この例では、Ｘ線発生器２０を前後方向Ａに沿って移動させる走査機構が本体部１２に内蔵されており、走査機構によりＸ線発生器２０を方向Ａに沿って移動させることで、ファンビーム２２をそのファン面に垂直な方向Ａに沿って走査することができる。図１では、ファンビーム２２と天板１３の上面との交線がその走査により移動する範囲の輪郭を矩形１８で示している。この矩形１８を、実際に天板１３上に描いてもよい。この場合、操作者は、その描かれた矩形１８を参照して、ブッキー台３０上の被検体４０をファンビーム２２の照射範囲に対して位置決めすることができる。
【００２３】
支持アーム部１６は、本体部１２の前後方向Ａについての一方の端部から鉛直上方に延びている。この例では、支持アーム部１６の天板１３側の面１７は、前後方向Ａに対して垂直な面となっている。支持アーム部１６は、検出部１４を片持ち支持する。
【００２４】
検出部１４は、本体部１２の鉛直上方に、本体部１２の天板１３とは間隔をあけて配置される。検出部１４は、支持アーム部１６に片持ち支持されており、支持アーム部１６の上端から前方向に天板１３上に張り出し、天板１３の上方を部分的に又は全体的に覆っている。検出部１４の底板１５の面は、本体部１２の天板１３の面に平行である。検出部１４は、Ｘ線検出器（図示省略）を内蔵している。骨塩量測定の場合、Ｘ線検出器は、多数のＸ線検出素子が左右方向Ｂに沿って一直線に並んだリニアアレイを備えている。Ｘ線検出器の左右方向Ｂについての幅は、例えば、当該Ｘ線検出器の高さにおけるファンビーム２２の左右方向Ｂについての幅以上である。この例では、Ｘ線検出器を前後方向Ａに沿って移動させる走査機構が検出部１４に内蔵されている。この走査機構は、Ｘ線検出器が、本体部１２内のＸ線発生器２０の前後方向Ａについての位置に対応した位置に来るよう、本体部１２内の走査機構と同期してＸ線検出器を移動させる。これにより、どの走査位置にあっても、Ｘ線発生器２０から照射されたファンビーム２２が、検出部１２内のＸ線検出器により検出されることとなる。
【００２５】
図１の装置１０では、本体部１２と検出部１４とが互いに平行に上下に配置されており、それら両者は、前後方向Ａについての後ろ方向側の端部にて支持アーム部１６により連結されている。また、本体部１２と検出部１４との前方向側の端部には、支持アームは設けられておらず、開放端となっている。装置１０は、この開放端側から、ブッキー台３０に差し入れられる。
【００２６】
Ｘ線骨塩量測定装置１０は、図３に示すように、ブッキー台３０の長手方向（被検体が横たわったときの、頭と足先を結ぶ体軸の方向）に対して直角に、ブッキー台３０に差し込まれる。この状態では、Ｘ線骨塩量測定装置１０の左右方向Ｂがブッキー台３０の長手方向と平行になる。また、この状態では、ブッキー台３０の天板は、本体部１２と検出部１４の間に挟まれることとなる。ブッキー台３０の天板は、本体部１２の天板１３上に描かれたファンビーム２２の走査範囲を示す表示（矩形１９など）が見えるように、透明又は半透明な材質としてもよい。
【００２７】
被検体４０は、図４に示すように、ブッキー台３０の天板の上に、ブッキー台３０の長手方向、すなわち装置１０の左右方向に沿って横たわる。図４の例では、被検体４０は、頭を図の右方向に向けた状態で仰臥する。この状態で、測定の対象である被検体４０の腰椎４２が、ファンビーム２２の範囲内に過不足無く入るよう、被検体４０と装置１０との位置関係を調整する必要がある。
【００２８】
そこで、このＸ線骨塩量測定装置１０では、支持アーム部１６の天板１３側、すなわち前方向側の面１７に、一対のガイドライン１８（図１〜図３参照）を設けている。一対のガイドライン１８は、Ｘ線発生器２０から放射されるファンビーム２２の左右両側の輪郭線を示している。すなわち、装置１０の正面（開放端）側から後ろ方向に向かって支持アーム部１６の垂直面１７を見た場合に、ファンビーム２２は、一対のガイドライン１８の間を通ることとなる。
【００２９】
ガイドライン１８は、ファンビーム２２のファン面の輪郭線を示すものであればどのようなものであってもよい。すなわち、例えば、面１７に対して塗料で描いてもよいし、面１７に対してシールとして貼付してもよい。
【００３０】
操作者は、例えば、被検体４０がブッキー台３０上に仰臥している状態で、装置１０をブッキー台３０に対して図４に示すように差し込む。そして、装置１０の正面側から支持アーム部１６の面１７を見ることで、測定対象である被検体４０の腰椎４２の部分が、一対のガイドライン１８の間に過不足無く収まっているかどうかを判断する。腰椎４２の部分が一対のガイドライン１８の間の範囲から図中の左又は右方向にずれている場合は、操作者は、装置１０を左又は右にずらすか、被検体４０に動いてもらうかして、腰椎４２の位置を、一対のガイドライン１８の間にぴったり収まるようにする。また、ブッキー台３０の高さによっては、被検体４０の腰椎４２が一対のガイドライン１８から左右両方にはみ出したり、逆に腰椎４２が一対のガイドライン１８の間にすっぽり収まって両側にすきまができたりする場合がある。どちらの場合も、腰椎４２の骨塩量を正しく測定することができず、後者の場合は、被検体４０の測定対象外の部位の被ばくを増大させてしまうことにもつながる。このような場合、操作者は、本体部１２の高さ調整機構により、装置１０全体を上下させることで、腰椎４２が一対のガイドライン１８の間にぴったり収まるようにする。なお、装置１０の高さを調節する代わりに、或いはこれに加えて、ブッキー台３０の高さを調整するようにしてもよい。
【００３１】
このように、図１〜図４に示す例では、支持アーム部１６の正面側の面１７に、ファンビーム２２を前後方向Ａに沿って後ろ方向に投影したときの輪郭線を示す一対のガイドライン１８を示した。このガイドライン１８により、操作者は、被検体４０の測定対象部位（腰椎４２）がファンビーム２２にぴったり収まるように、被検体４０と装置１０との相互の位置関係を調整することができる。
【００３２】
なお、ファンビーム２２の範囲を一対のガイドライン１８で示すのは、あくまで一例に過ぎない。例えばこの代わりに、ファンビーム２２の範囲の輪郭線だけでなくその範囲（台形）全体を、その範囲の外とは異なる色とすることなどにより、示すようにしてもよい。
【００３３】
また、図５に例示するように、支持アーム部１６Ａの形状自体を、装置１０の正面方向から後ろ方向に見た場合に、ファンビーム２２のファン面の形状を示すものとしてもよい。
【００３４】
また、図６に示すように、ファンビーム２２の範囲を示すガイドラインを、ＬＥＤなどの発光素子５２の列５０により表わしてもよい。すなわち、図６の例では、支持アーム部１６の面１７上に、ファンビーム２２のファン面の左右の輪郭線に沿って、多数の発光素子５２を並べる。これら発光素子５２は、装置１０内の電源から電力供給を受けて発光する。面１７は、検査部１４の影になっており、一般に暗いため、このように発光素子５２の列５０によりガイドラインを表示すれば、操作者にとって見やすい。
【００３５】
また、発光素子５２として、発光色を切り替え可能なもの（例えば、素子内に色の異なるＬＥＤを複数備え、それらＬＥＤのうちの一以上を選択的に発光させるもの）を用い、装置１０の状態を列５０の発光色で表現してもよい。例えば、一例として、測定準備状態（この間に装置１０と被検体４０の位置合わせを行う）と、測定状態（Ｘ線照射中）とを、発光素子５２の発光色により表現するなどである。この場合、装置１０の操作手順は、例えば図７に示すようなものとなる。
【００３６】
すなわち、図７の手順では、装置１０をブッキー台３０に差し込んだ後、操作者は被検体４０をブッキー台３０に載せる（Ｓ１０）。次に、操作者が、装置１０の操作パネル（図示省略）上にある測定準備スイッチを押すと、装置１０内の制御装置（図示省略）が、列５０の各発光素子５２を第１の色（例えば緑色）に発光させる（Ｓ１２）。操作者は、この発光素子群５２が表す第１の色のガイドラインを装置１０の正面方向から見ながら、被検体４０の体軸方向についての測定部位（図４の例では腰椎４２）が、ファンビーム２２の内側にぴったり収まるよう、被検体４０と装置１０との上下方向及び左右方向の相対的な位置関係を調節する（Ｓ１４）。位置関係の調節が完了すると、操作者は、操作パネル上の測定開始スイッチをオンするなどにより、装置１０に対して測定開始を指示する。この指示に応じ、装置１０内の制御装置は、Ｘ線発生器２０にファンビーム２２を照射させ、被検体４０を透過したファンビーム２２を検出部１４内のＸ線検出器に検出させる（Ｓ１６）。ファンビーム２２を前後方向Ａに沿って走査する場合には、制御装置は、本体部１２及び検査部１４内の走査機構を制御して、Ｘ線発生器２０とＸ線検出器とを同期的に方向Ａに沿って移動させる。
【００３７】
以上では、「測定準備」と「測定中」という２つの装置状態を、発光素子５２が発光する色という発光状態により表現したが、別の装置状態を発光素子５２群の別の発光状態により表現することもできる。例えば、測定中（Ｘ線照射中）に装置１０にエラーが生じた場合に、そのエラーの種類を発光素子５２群の発光状態により表現してもよい。図８の例では、エラーの種類を、発光素子５２の時間的な点滅パターンにより表現している。図８の例では、例えば、Ｘ線管が照射不能期間に入った場合には、装置１０内の制御装置は、発光素子５２を、黄色で１秒ずつ点灯と消灯を繰り返す点滅パターンで点滅させ、Ｘ線管の管電圧に異常が生じた場合には、１秒点灯２秒消灯を繰り返す点滅パターンで点滅させる。
【００３８】
また、図示は省略するが、左右の列５０の発光を個別に制御することで、更に多くの発光状態を表現できる。例えば、左側の列５０のみを発光させる場合、右側の列５０のみを発光させる場合、及び両方の列５０を発光させる場合で３つの状態を表現できる。これに、各列５０の発光色や、各列５０の点滅パターンを組み合わせることで、多数の状態を表現できる。これら多様な発光状態で、装置１０の動作状態（動作モードなど）やエラー状態を表現することができる。
【００３９】
また、測定開始からの経過時間を、発光素子５２群のうち発光させるものの位置により表示するようにしてもよい。図９の例では、測定前（測定準備状態）では、装置１０内の制御装置は、発光素子列５０の全発光素子を緑色で発光させる。測定（Ｘ線照射）を開始すると、時間の経過に応じて列５０の下側の発光素子５２から順に黄色で発光させていく。例えば、測定開始直後では、左右の列５０の最も下の発光素子５２のみを黄色にて発光させる。その後、制御装置は、時間の経過に従って、下から順に発光素子５２を点灯させていく。例えば、測定期間が半分経過した段階では、列５０の下端から中央までの発光素子５２が黄色にて点灯し、測定期間がほぼ終了する時点では、下端から上端までのすべての発光素子５２が点灯するようにする。このような経過時間表示により、操作者は、測定期間がどの程度経過したかの目安を得ることができる。
【００４０】
図６等の例では、支持アーム部１６にファンビーム２２の左右の輪郭を示す発光素子列５０を設けたが、この代わりに、ファンビーム２２の台形の範囲を示す面状の発光部を支持アーム部１６に設けてもよい。
【００４１】
また、図１０の例では、検査部１４の側面に前後方向Ａに沿って発光素子列６０を配設し、これによりファンビーム２２の走査位置を表示する。すなわち、この例では、装置１０内の制御装置は、列６０上の発光素子のうち、ファンビーム２２のファン面が存在する位置（走査位置）に対応する発光素子のみを発光させることで、走査位置を表示する。操作者は、この表示により、測定中の走査位置を知ることができる。
【００４２】
図１１の例は、支持アーム部１６の面１７上に、ファンビーム２２の範囲を示す発光素子５２の列５０の他に、水平方向の発光素子列７０と、垂直方向の発光素子列７５を設けた例である。
【００４３】
水平方向の発光素子列７０は、ブッキー台３０の上面の基準高さを示す。基準高さは、ブッキー台３０の上面がこの基準高さに合っているとき、解剖学的に見てほとんどの場合に、被検体４０の測定対象部位（腰椎４２）の左右方向の幅がファンビーム２２の幅に合うように定められている。操作者は、装置１０の正面側からこの発光素子列７０とブッキー台３０の上面との位置関係を見て、ブッキー台３０の上面の高さが基準高さにあっているか、及びブッキー台３０と装置１０とが相対的に傾いていないか（ブッキー第３０の上面が水平かどうか）を確認する。そして、高さが合っていなかったり、傾きがあったりする場合には、操作者は、装置１０又はブッキー台３０の高さ又は傾きを調節することで、ブッキー台３０の上面が発光素子列７０に沿うようにする。
【００４４】
垂直方向の発光素子列７５は、支持アーム部１６の面１７の左右方向Ｂについての中心線に沿って、発光素子列７０が示す基準高さから上方に向かって、あらかじめ定められた高さ範囲にわたって延びている。この発光素子列７５は、被検体４０の体厚の判定に用いるものである。すなわち、被検体４０を透過するＸ線の量は、被検体４０の体厚が厚くなるほど減衰するので、標準的な体厚より著しく厚い被検体４０の骨塩量を測定する場合には、Ｘ線の強度を強くするなど、体厚が厚い人用の測定モードにする必要がある。そこで、図１１の例では、測定モードを標準とするか体厚が厚い人用とするかの閾値となる体厚を発光素子列７５により表現している。操作者は、装置１０の正面側から面１７を見て、発光素子列７５の発光素子が被検体４０により隠れて１つも見えなければ、装置１０の測定モードを体厚の厚い人用に切り替える。
【００４５】
以上、いくつかの実施形態を説明したが、本発明は以上に説明した各実施形態に限定されるものではなく、特許請求の範囲に記載される発明の範囲内で様々な変形、改良などが可能である。
【００４６】
例えば以上の各例では、支持アーム部１６の正面側の面１７は、前後方向Ａに対して垂直な面としているが、これは必須のことではない。面１７が前後方向Ａに対して垂直でない場合でも、ガイドライン１８や発光素子列５０は、ファンビーム２２を装置１０の正面側から後ろ方向に向かって、ファンビーム２２の左右の輪郭線をその面１７に平行投影したときに、各輪郭線の投影が面１７を横切る線をガイドライン１８又は発光素子列５０とすればよい。
【００４７】
また、以上では、測定対象として腰椎を例示したが、大腿骨など他の部位を測定する場合や装置についても、上述の各例の方式は適用可能である。また、更に言えば、骨塩量測定装置以外にも、放射線のファンビームを被検体の対象部位に対して正確に位置決めする必要がある装置には、上述の各例の方式は適用可能である。
【００４８】
また、以上の例は、Ｘ線発生器２０が下にありＸ線検出器が上にある構成であったが、それら両者の配置関係は逆でもよい。また、両者の配置関係が上下でなく左右である場合にも、上記の例の方式は適用可能である。
【符号の説明】
【００４９】
１０  Ｘ線骨塩量測定装置、１２  本体部、１３  天板、１４  検出部、１５  底板、１６  支持アーム部、１８  ガイドライン、２０  Ｘ線発生器。
【図１】
2011244873.tif 000003
【図２】
2011244873.tif 000004
【図３】
2011244873.tif 000005
【図４】
2011244873.tif 000006
【図５】
2011244873.tif 000007
【図６】
2011244873.tif 000008
【図７】
2011244873.tif 000009
【図８】
2011244873.tif 000010
【図９】
2011244873.tif 000011
【図１０】
2011244873.tif 000012
【図１１】
2011244873.tif 000013
【図１２】
2011244873.tif 000014